(57)【特許請求の範囲】
【請求項１】
優先チャンネルとして設定されたチャンネルの選局情報を記憶しておく手段と、テレビＯＮ時には前記優先チャンネルとして設定されたチャンネルの選局処理を実行する手段と、通信手段とを備え、前記通信手段にて特定の相手先との接続を行い、前記相手先から送られてくる情報に基づいて単一の優先チャンネルを登録すると共に、相手先には少なくとも利用者を特定する利用者情報を送信するように構成されたことを特徴とする放送受信装置。
【請求項２】
請求項１に記載の放送受信装置において、前記相手先から送られてくる有効期間情報を記憶すると共に、時計手段からの日時情報又は放送波から得られる日時情報に基づいて有効期間の経過を判断するように構成されたことを特徴とする放送受信装置。
【請求項３】
請求項２に記載の放送受信装置において、有効期間が過ぎたときには、単一の優先チャンネルの設定を解除するように構成されたことを特徴とする放送受信装置。
【請求項４】
優先チャンネルとして設定されたチャンネルの選局情報を記憶しておく手段と、テレビＯＮ時には前記優先チャンネルとして設定されたチャンネルの選局処理を実行する手段と、単一の優先チャンネル及びその有効期間を利用者の操作で登録するための手段と、通信手段とを備え、前記通信手段にて特定の相手先との接続を行い、前記相手先に前記単一の優先チャンネル及び有効期間及び少なくとも利用者を特定する利用者情報を送信した以降は、前記有効期間が経過するまで利用者による登録変更が行なえないように構成されたことを特徴とする放送受信装置。
【請求項５】
請求項１乃至請求項４のいずれかに記載の放送受信装置において、利用者から優先チャンネルの抹消指示を受けたとき、前記通信手段にて相手先との接続を行い、当該相手先に抹消を申請して優先チャンネルの設定解除を行なうように構成されたことを特徴とする放送受信装置。
【請求項６】
優先チャンネルとして設定されたチャンネルの選局情報を記憶しておく手段と、テレビＯＮ時には前記優先チャンネルとして設定されたチャンネルの選局処理を実行する手段と、単一の優先チャンネルを利用者の操作で登録するための手段と、前記単一の優先チャンネルの設定の過去から現在までの状況を記憶しておく手段と、通信手段と、を備え、前記通信手段にて特定の相手先との接続を行い、前記相手先に前記単一の優先チャンネルの過去から現在の設定状況及び少なくとも利用者を特定する利用者情報を送信するように構成されたことを特徴とする放送受信装置。
【請求項７】
請求項１乃至請求項６のいずれかに記載の放送受信装置において、前記特定の相手先との接続のための情報を放送波から取り出すように構成されたことを特徴とする放送受信装置。
【請求項８】
請求項１乃至請求項７のいずれかに記載の放送受信装置において、チャンネルの受信状況を示す受信品質情報を生成する手段を備え、前記相手先に前記受信品質情報を送信するように構成されたことを特徴とする放送受信装置。
【請求項９】
請求項１乃至請求項８のいずれかに記載のディジタル放送受信装置において、前記単一の優先チャンネルを登録することに替えて、優先チャンネルを順位付けして複数登録するように構成され、テレビＯＮ時には第１位優先チャンネルとして設定されたチャンネルの選局処理を行い、チャンネルアップ／ダウン操作に対しては優先順位に基づくチャンネル順で選局処理を行なうように構成されるとともに、前記単一の優先チャンネルについて行う処理を前記第１位優先チャンネルについて行うように構成されたことを特徴とする放送受信装置。
【発明の詳細な説明】
【０００１】
【産業上の利用分野】
この発明は、ディジタル放送波やアナログ放送波を受信する放送受信装置に関する。
【０００２】
【従来の技術】
従来の放送受信装置では、受信チャンネルの切替時、切替後のチャンネル番号をメモリに記憶するようにしている。そして、テレビＯＦＦの後、テレビＯＮの操作が行なわれたときには、記憶しておいた切替後のチャンネルを選局するように処理を行うようになっており、これにより、テレビＯＮ時には最後に見ていたチャンネル（ラストチャンネル）が画面に表れることになる。
【０００３】
また、チャンネルアップ／ダウンキーが操作される場合、従来であれば、単なる昇順或いは降順でチャンネルが決まる。ここで、図５（ａ）のごとく各チャンネルに放送局が割り当てられているとし、利用者が例えば２ｃｈを視聴中にリモコン送信機１０に設けられたチャンネルアップ／ダウンキーを操作すると、図５（ｂ）に示すとおりの順番でチャンネルが切り替わることになる。具体的には、アップキーが操作された場合には、２ｃｈ（総合放送）→３ｃｈ（ＢＢテレビ）→４ｃｈ（ＣＣ放送）・・・→１２ｃｈ（教育ＴＶ）→２ｃｈ（総合放送）といった順番で選局することとなり、ＤＯＷＮキーが操作された場合にはこれとは逆の順番で選局を行うことになる。そして、図５（ｃ）に示すように、テレビＯＦＦ→テレビＯＮとされたときには、ラストチャンネルが選択される。
【０００４】
【発明が解決しようとする課題】
しかしながら、テレビＯＮ時に最後に見ていたチャンネルが画面に表れても、このチャンネルが利用者の好みのチャンネルであるとは限らず、テレビＯＮ操作後にチャンネル切替操作を行なうことが多くなる。また、チャンネルアップ／ダウンキーの操作においても、自身の好み順でチャンネルが切り替わることにはならない。
【０００５】
この発明は、上記の事情に鑑み、テレビＯＮ時に利用者の望むチャンネル（優先チャンネル）が受信されることを可能にし、更には、テレビＯＮ時に受信されるチャンネル（優先チャンネル）を放送局側等で確実に把握することを可能にできる放送受信装置を提供することを目的とする。
【０００６】
【課題を解決するための手段】
この発明の放送受信装置は、上記の課題を解決するために、優先チャンネルとして設定されたチャンネルの選局情報を記憶しておく手段と、テレビＯＮ時には前記優先チャンネルとして設定されたチャンネルの選局処理を実行する手段と、を備えたことを特徴とする。かかる構成により、テレビＯＮ時に利用者の望むチャンネル（優先チャンネル）が受信されることになる。
【０００７】
優先チャンネルを順位付けして複数登録するように構成され、テレビＯＮ時には第１位優先チャンネルとして設定されたチャンネルの選局処理を行い、チャンネルアップ／ダウン操作に対しては優先順位に基づくチャンネル順で選局処理を行なうように構成されていてもよい。
【０００８】
通信手段を備え、この通信手段にて特定の相手先との接続を行い、前記相手先から送られてくる情報に基づいて単一の優先チャンネル又は第１位優先チャンネルを登録すると共に、相手先には少なくとも利用者を特定する利用者情報を送信するように構成されているのがよい。これによれば、テレビＯＮ時に受信されるチャンネル（優先チャンネル）を当該チャンネルの放送局側から設定し放送局側で確実に把握することを可能にできる。
【０００９】
前記相手先から送られてくる有効期間情報を記憶すると共に、時計手段からの日時情報又は放送波から得られる日時情報に基づいて有効期間の経過を判断するように構成されていてもよい。この構成において、有効期間が過ぎたときには、単一の優先チャンネル又は第１位優先チャンネルの設定を解除するように構成されていてもよい。
【００１０】
単一の優先チャンネル又は第１位優先チャンネル及びその有効期間を利用者の操作で登録するための手段と、通信手段とを備え、前記通信手段にて特定の相手先との接続を行い、前記相手先に前記単一の優先チャンネル又は第１位優先チャンネル及び有効期間及び少なくとも利用者を特定する利用者情報を送信した以降は、前記有効期間が経過するまで利用者による登録変更が行なえないように構成されていてもよい。かかる構成においても、テレビＯＮ時に受信されるチャンネル（優先チャンネル）を放送局側等で確実に把握することを可能にできる。
【００１１】
利用者から優先チャンネルの抹消指示を受けたとき、通信手段にて相手先との接続を行い、当該相手先に抹消を申請して優先チャンネルの設定解除を行なうように構成されているのがよい。
【００１２】
単一の優先チャンネル又は第１位優先チャンネルを利用者の操作で登録するための手段と、前記単一の優先チャンネル又は第１位優先チャンネルの設定の過去から現在までの状況を記憶しておく手段と、通信手段とを備え、前記通信手段にて特定の相手先との接続を行い、前記相手先に前記単一の優先チャンネル又は第１位優先チャンネルの過去から現在の設定状況及び少なくとも利用者を特定する利用者情報を送信するように構成されていてもよい。かかる構成であれば、或る利用者の受信装置では１カ月間○○チャンネルが優先チャンネルとして設定されていたということを放送局側等で事後的に知ることができ、これによっても、テレビＯＮ時に受信されるチャンネル（優先チャンネル）を放送局側等で確実に把握することを可能にできる。
【００１３】
前記特定の相手先との接続のための情報を放送波から取り出すように構成されていてもよい。例えば、優先チャンネルとしたいディジタル放送波のチャンネルを受信しこのチャンネルの放送に付随しているデータ放送にて前記接続のための情報を取得することができる。
【００１４】
チャンネルの受信状況を示す受信品質情報を生成する手段を備え、前記相手先に前記受信品質情報を送信するように構成されていてもよい。これによれば、放送局側で放送サービスエリアの受信状況を把握することが可能となる。
【００１５】
【発明の実施の形態】
以下、この発明の実施形態を図１乃至図４に基づいて説明するが、ここではユーザが地上波ディジタル放送を視聴する場合を例示している。図１はこの実施形態のディジタル放送システムの概略を示した説明図であり、図２はディジタル放送受信装置３０を示したブロック図であり、図３は優先チャンネル設定を行った場合の選局処理を示した説明図であり、図４は広告主、放送事業者、視聴者間の処理例を示した説明図である。
【００１６】
図１において、放送事業者装置３１は、番組（一つとは限らない）、データ放送やプログラムガイド等のデータ、日付時刻情報、変調方式等を示す情報を多重して変調し、これを中継回線３３を通じて送信所３２に送信する。送信所３２は放送波の周波数及び放送方式に適合した変調を行い、アンテナから放送波を送信する。受信装置３０は、送信所３２から送信されてくる放送波を受信することになる。
【００１７】
地上波ディジタル放送では、複数の放送事業者装置３１が存在して所定のチャンネルにおいて自身の番組を放送することになる。放送事業者装置３１の利用者情報データベース３１ａには、優先チャンネル設定を行ってくれた利用者の情報や有効期間情報などが記憶される。また、受信装置３０はそのモデム（図２参照）によって通信線路３４を通じて放送事業者装置３１に接続することができる。なお、受信装置３０に接続される対象は、放送事業者装置３１に限るものではなく、放送事業者装置３１の委託業者、或いは複数の放送局でつくる団体（登録センター等）において設けられる装置としてもよい。
【００１８】
図２は受信装置３０を示したブロック図である。アンテナ１は、送信所３２から送られてくるディジタル放送波を受信する。チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１９】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオストリームとオーディオストリームをＡＶデコーダ４に供給し、ＰＳＩ／ＳＩに含まれる番組情報（番組名、番組開始時刻、番組内容情報、番組ジャンル情報等）等をＣＰＵ１３に供給する。なお、トランスポート・ストリームには複数のサービスが多重化されており、このなかから任意のサービスを選択するための処理は、前記ＰＳＩ／ＳＩから任意のサービスがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００２０】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２１】
映像処理回路５は、ＡＶデコーダ４から映像データを受け取ってＤ／Ａ変換を行い、例えばコンポジット映像信号に変換する。音声処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００２２】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００２３】
ＯＳＤ回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、ＣＰＵ１３が受け取った前述の番組情報に基づくＥＰＧ（Ｅｌｅｃｔｒｏｎｉｃ  Ｐｒｏｇｒａｍ  Ｇｕｉｄｅ）表示や各種メッセージの表示などが行えることになる。
【００２４】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。ユーザはリモコン送信機１０を利用して受信装置３０のチャンネル切替えや利用者情報の入力を行うことができる。
【００２５】
不揮発性メモリ（例えばＥＥＰＲＯＭ等）１４には、ＥＰＧ画面を表示するためのデータ（番組情報）の他、優先チャンネル情報や有効期間情報などが格納される。
【００２６】
モデム１５は、優先チャンネル設定時に利用者情報を放送事業者装置３１へ送信するときなどのダイヤルアップ接続に用いられる。また、データ放送における双方向サービスを利用する際にも用いられる。
【００２７】
ＣＰＵ１３は、このディジタル放送受信装置３０における全体制御を行うものであるが、特にこの発明にかかる制御として、以下に示す優先チャンネル設定処理を実行するようになっている。
【００２８】
まず、利用者の直接的な設定による優先チャンネル設定処理を以下に示す。例えば、メニュー画面において、「優先チャンネル設定」の項目を表示させ、この項目が利用者のリモコン操作等で選択されたときに、チャンネル番号の入力枠及び「ＯＫボタン」と「キャンセルボタン」等を表示する。利用者のリモコン操作等で前記入力枠に数字が入力され、「ＯＫボタン」が操作されると、前記数字を優先チャンネル番号として不揮発性メモリ１４に記録する。以降においては、テレビＯＦＦ時のチャンネル（ラストチャンネル）をテレビＯＮ時のチャンネルとするのではなく、前記不揮発性メモリ１４に記録した優先チャンネルをテレビＯＮ時のチャンネルとする選局処理を行なうことになる。なお、誤ってテレビＯＦＦ操作を行い、これに気付いて直ぐにテレビＯＮ操作を行なうことがあり、この場合には現在見ていた番組を継続して見るものと考えられるから、テレビＯＦＦ操作がなされてからの時間計測を行い、一定時間が経過する前にテレビＯＮ操作されたときには、従来通りラストチャンネルでのテレビＯＮを行なうようにしてもよいものである。また、優先チャンネルを順位付けして複数登録するようにし、テレビＯＮ時には第１位優先チャンネルとして設定されたチャンネルの選局処理を行い、チャンネルアップ／ダウン操作に対しては優先順位に基づくチャンネル順で選局処理を行なうようにしてもよい（これについては後で詳述する）。
【００２９】
ところで、各放送局にとっては自身のチャンネルが前記のごとく優先チャンネルとされることを望むであろうし、自身のチャンネルを優先チャンネルとしてくれた利用者には懸賞等のサービスを行なってもよいと考えるであろう。しかし、この場合において、利用者からの葉書等による優先チャンネル設定の通知では、実際に自放送局のチャンネルが優先チャンネルとされているのかの確証は得られないという不都合がある。放送局側から受信装置３０に対して優先チャンネルの設定が行なえれば、このような不都合を解消できる。以下、これを実現する手法について説明していく。
【００３０】
優先チャンネル設定を行う場合、利用者は優先チャンネルとしたいチャンネルを受信装置３０において選局させる。チャンネルには本来の番組だけでなく、これに付随したデータ放送を存在させることができ、このデータ放送にて優先チャンネル登録メニュー（図示せず）を表示させることができる。このとき受信装置３０はデータ放送から放送事業者装置３１の電話番号を取得し、この電話番号をモデム１５を用いてダイヤルし、放送事業者装置３１に接続する。
【００３１】
放送事業者装置３１は、氏名、郵便番号、住所、電話番号、更には任意項目としての男女別、年齢、趣味といった属性情報の入力項目を含めた利用者情報入力画面を受信装置３０へ送信する（利用者情報入力画面（ＸＭＬファイル）はデータ放送で与えることもできる）。これを受けた受信装置３０は、利用者情報入力画面を表示する。そして、利用者はリモコン送信機１０等を用いて利用者情報を入力する。この利用者情報を放送事業者装置３１に送信するとき、受信装置３０はその固有の情報（製造番号，ＩＤ等）も併せて送信する。放送事業者装置３１は、これらの情報を受信して利用者情報データベース３１ａに登録する。また、放送事業者装置３１は、その放送事業者コード（チャンネル番号）を送信する。受信装置３０は、放送事業者コード（チャンネル番号）を不揮発性メモリ１４に優先チャンネル（或いは第１位優先チャンネル）として格納する。また、放送事業者装置３１は、自身の電話番号についても送信する。受信装置３０は、優先チャンネル（放送事業者コード）とセットで当該電話番号を不揮発性メモリ１４に格納する。この電話番号は優先チャンネル設定の抹消処理（これについては後で詳述する）において用いる。
【００３２】
ここで、例えば、利用者情報入力画面において「登録有効期間［１カ月］［３カ月］［６カ月］」のごとく登録有効期間を選択させることもできる。勿論、例えば１年といった固定のものとすることもできる。放送事業者装置３１は、自身の放送事業者コード（チャンネル番号）を送信する際に、選択された或いは固定の登録有効期間情報を送信することとし、受信装置３０は登録有効期間情報を不揮発性メモリ１４に格納する。
【００３３】
また、受信装置３０は、不揮発性メモリ１４に優先チャンネルとして他の放送事業者コードが既に格納されている場合で且つ有効期間内であるとき、既に登録済みであることを例えば「優先選局チャンネルは○○ｃｈに設定されています」のごとく画面表示して利用者に知らせる。更に、登録済みのものを抹消するか否かを利用者に問う画面表示を行なう。登録抹消が選択された場合には、登録済みの放送事業者コードとセットとして記録されている電話番号（当該放送事業者装置の電話番号）を用いて当該登録済みの放送事業者コードの放送事業者装置３１に回線接続し、登録抹消手続きの処理を自動実行する。その後に、上述した優先チャンネル登録のための処理を再度行なうことになる。
【００３４】
また、受信装置３０は、上記優先チャンネル登録の処理において、当該チャンネルの受信状況を示すステータス情報（チューナ２から得られるＣ／Ｎやエラーレート等）を放送事業者装置３１に与える。放送事業者装置３１では、前述した利用者情報の郵便番号、住所、電話番号等に基づく受信装置位置情報と前記ステータス情報とを用いることにより、放送サービスエリアの受信状況把握が行なえることになる。また、放送事業者装置３１では、任意項目としての男女別、年齢、趣味といった属性情報を得ることができた場合、自身のチャンネルがどのような方々に人気があるのかといった情報も把握できることになる。特に、専門チャンネル化が進む場合、各チャンネルがどのような方々に人気があるのかといった情報は重要となる。
【００３５】
前述の有効期間に関連して補足説明を行なう。有効期間内か否かは、不揮発性メモリ１４に格納されている有効期間情報と、ディジタル放送波に多重されている日付時刻情報をデコードして得られる現在日時等とを比較することで判断することができる。有効期間が過ぎたと判断した場合、そのことを画面表示して利用者に知らせるようにしてもよいし、不揮発性メモリ１４から放送事業者コードを消去するようにしてもよい。有効期間については放送事業者装置３１側でも管理しており、有効期間が過ぎたときには、そのことを記録する。放送事業者装置３１側では、有効期間の長さに応じた各種サービスを利用者に対して行なうこともできるし、有効期間の経過のタイミングで利用者に各種働きかけを行なうこともできる。このサービスや働きかけは、ディジタル放送波による個別受信装置へのメールで行なうこともできる。
【００３６】
優先チャンネル設定は、先にも述べた通り、ラストチャンネルではなく利用者が設定したチャンネルをテレビＯＮ時のチャンネルとするものであり、この意味では一つとされるものである。一方、チャンネル選択はリモコン送信機１０の数字キーの押下だけでなく、チャンネルアップ／ダウンキーによっても行なうことができる。このチャンネルアップ／ダウンキーの操作に鑑みて、優先チャンネルを第１位優先チャンネル、第２位優先チャンネル、…のごとく複数設定することも考えられる。
【００３７】
優先チャンネルを第１位優先チャンネル、第２位優先チャンネル、…のごとく複数設定した場合を図３に基づいて説明する。図３（ａ）は各チャンネルに割り当てた優先順位の例を示している。なお、ここでは４ｃｈを第１位優先チャンネルとしており、テレビＯＮ時には４ｃｈが選択される。そして、例えば４ｃｈを視聴中に、リモコン送信機１０に設けられたチャンネルアップ／ダウンキーが利用者によって操作されると、ＣＰＵ１３は図３（ｂ）に示すとおりの順番でチャンネルを切り替えることになる。具体的には、アップキーが操作された場合には、４ｃｈ（ＣＣ放送）→８ｃｈ（ＥＥテレビ）→３ｃｈ（ＢＢテレビ）・・・→１２ｃｈ（教育ＴＶ）→４ｃｈ（ＣＣ放送）という優先順位の順番で選局することとなり、ダウンキーが操作された場合にはこれとは逆の順番で選局することになる。そして、図３（ｃ）に示すように、テレビＯＦＦ→テレビＯＮとされたときには、４ｃｈが選択されることになる。
【００３８】
図４は、広告主、放送事業者、視聴者間の処理例を示した説明図である。図４（ａ）において、(1)広告主が放送事業者に広告料を支払って広告の放映を依頼すると、(2)放送事業者は広告を放映し、広告収入を得る。(3)視聴者が優先選局チャンネルを前記放送事業者に登録すると、(4)放送事業者は受信装置の優先選局チャンネルを設定する。(5)広告主は優先選局チャンネル設定者に提供する懸賞用商品や試供品を放送事業者へ受け渡す。(6)放送事業者は利用者情報データベース３１ａの利用者情報を基に抽選を行い、(7)当選した視聴者へ商品を発送する。
【００３９】
また、図４（ｂ）では、(11)広告主が放送事業者に広告料を支払って広告の放映を依頼すると、(12)放送事業者は広告を放映し、広告収入を得る。(13)視聴者が優先選局チャンネルを前記放送事業者に登録すると、(14)放送事業者は受信装置の優先選局チャンネルを設定する。(15)放送事業者は広告主へ利用者情報データベース３１ａの利用者情報を提供し、(16)広告主が抽選を行い、(17)当選した視聴者へ懸賞商品や試供品を発送する。(18)また、商品の提供を受けた視聴者が広告主へアンケートを提出することとしてもよい。この場合、視聴者の情報が広告主に公開されることになるので、視聴者の希望により抽選に参加する形式とするのがよい。
【００４０】
なお、以上説明した例では、放送局側等から受信装置３０に対して単一の優先チャンネル又は第１位優先チャンネルを通信で設定することとしたが、これに限るものではない。たとえば、単一の優先チャンネル又は第１位優先チャンネル及びその有効期間を利用者の操作で登録できるようにする。そして、モデム１５にて特定の相手先（登録センター等）との接続を行い、前記相手先に前記単一の優先チャンネル又は第１位優先チャンネル及び有効期間及び少なくとも利用者を特定する利用者情報を送信するようにし、この送信以降は、前記有効期間が経過するまで利用者による登録変更が行なえないようにする。かかる構成においても、テレビＯＮ時に受信されるチャンネル（優先チャンネル）を放送局側等で確実に把握することを可能にできる。
【００４１】
また、単一の優先チャンネル又は第１位優先チャンネルを利用者の操作で登録できるようにする。また、前記単一の優先チャンネル又は第１位優先チャンネルの設定の過去から現在までの状況をメモリ１４に記憶しておく。そして、モデム１５にて特定の相手先（登録センター等）特定の相手先との接続を行い、前記相手先に前記単一の優先チャンネル又は第１位優先チャンネルの過去から現在の設定状況及び少なくとも利用者を特定する利用者情報を送信する。かかる構成であれば、或る利用者の受信装置では１カ月間○○チャンネルが優先チャンネルとして設定されていたということを放送局側等で事後的に知ることができ、これによっても、テレビＯＮ時に受信されるチャンネル（優先チャンネル）を放送局側等で確実に把握することを可能にできる。
【００４２】
【発明の効果】
以上説明したように、この発明のディジタル放送受信装置であれば、利用者はテレビＯＮ時に所望のチャンネルを直ちに視聴することができ、チャンネルアップ／ダウン操作においても、好み順でチャンネルが切り替わってくれることになる。また、優先チャンネル設定を放送事業者側から行なえる構成等においては、テレビＯＮ時に受信されるチャンネル（優先チャンネル）を放送局側等で確実に把握することができるという利点が得られるし、更には各受信装置から各種情報を得ることも可能となる。
【図面の簡単な説明】
【図１】この発明の実施形態の放送受信装置を利用するテレビ放送システムの概略を示した説明図である。
【図２】この発明の実施形態の放送受信装置を示したブロック図である。
【図３】優先チャンネル設定を行った場合のチャンネルアップ／ダウン操作による選局処理を示した説明図である。
【図４】広告主、放送事業者、視聴者間の処理の流れを示した説明図である。
【図５】従来のチャンネルアップ／ダウン操作による選局処理を示した説明図である。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  不揮発性メモリ
１５  モデム
３０  ディジタル放送受信装置
３１  放送事業者装置
３１ａ利用者情報データベース
【図１】
0003896013.tif 000002
【図２】
0003896013.tif 000003
【図３】
0003896013.tif 000004
【図４】
0003896013.tif 000005
【図５】
0003896013.tif 000006